(57)【特許請求の範囲】
【請求項１】
（ａ）書類の読取画像から抽出すべき抽出領域を指定するために前記書類に付加される付加物をユーザーが提示する付加物指定領域と（ｂ）前記抽出領域から得られる情報に対する処理を前記ユーザーが指定するための処理指定領域とを有する設定シートの読取画像における、前記付加物指定領域に提示された前記付加物の画像および前記処理指定領域において指定された前記処理を特定し、前記付加物の画像および前記処理を関連付けて登録する付加物登録部と、
書類の読取画像内で前記付加物の画像を検索し、前記付加物の画像で指定された前記抽出領域から得られる情報に対して、前記付加物の画像に関連付けられた前記処理を実行する読取画像処理部と、
を備え、
前記付加物登録部により前記付加物の画像および前記処理が関連付けて登録された後に、前記付加物の画像および前記抽出領域の位置情報を含む登録情報シートが出力されること、
を特徴とする画像処理装置。
【請求項２】
１枚の前記設定シートは、前記付加物指定領域を含む複数の付加物指定領域と、前記複数の付加物指定領域にそれぞれ対応する、前記処理指定領域を含む複数の処理指定領域を有し、
前記付加物登録部は、１枚の前記設定シートの読取画像における、前記複数の付加物指定領域に提示された複数の付加物の画像および前記複数の処理指定領域において指定された複数の処理を特定し、前記複数の付加物の画像および前記複数の処理を関連付けて登録し、
前記読取画像処理部は、書類の読取画像内で前記複数の付加物の画像を検索し、検出した付加物の画像で指定された前記抽出領域から得られる情報に対して、前記付加物の画像に関連付けられた前記処理を実行すること、
を特徴とする請求項１記載の画像処理装置。
【請求項３】
前記付加物は、所定の形状、色、および模様を有する付箋であり、
前記読取画像処理部は、書類の読取画像内で前記付加物の画像をパターンマッチングで検索すること、
を特徴とする請求項１または請求項２記載の画像処理装置。
【請求項４】
前記複数の付加物は、同一形状で、異なる模様を有する複数の付箋であることを特徴とする請求項２記載の画像処理装置。
【請求項５】
前記処理は、（ａ）前記抽出領域から抽出された情報に基づく、前記書類の読取画像のファイルのファイル名作成、（ｂ）前記抽出領域から抽出された情報に対する文字認識処理、および（ｃ）前記抽出領域から抽出された情報に基づく、前記ファイルのメタ情報作成の少なくとも１つであることを特徴とする請求項１から請求項４記載の画像処理装置。
【請求項６】
前記登録情報シートは、前記抽出領域の位置情報、および前記抽出領域に対応する前記処理を示す情報を含む２次元コードを含むことを特徴とする請求項１記載の画像処理装置。
【請求項７】
前記登録情報シートは、前記書類の読取画像から得られる前記抽出領域の画像を含むことを特徴とする請求項１記載の画像処理装置。
【請求項８】
１回のユーザー操作に対応して所定の機能を実行するキーをさらに備え、
前記キーに関連付けて前記機能として前記登録情報シートの出力が登録されていること、  
を特徴する請求項７記載の画像処理装置。
【請求項９】
（ａ）書類の読取画像から抽出すべき抽出領域を指定するために前記書類に付加される付加物をユーザーが提示する付加物指定領域と（ｂ）前記抽出領域から得られる情報に対する処理を前記ユーザーが指定するための処理指定領域とを有する設定シートの読取画像における、前記付加物指定領域に提示された前記付加物の画像および前記処理指定領域において指定された前記処理を特定し、前記付加物の画像および前記処理を関連付けて登録する付加物登録部と、
書類の読取画像内で前記付加物の画像を検索し、前記付加物の画像で指定された前記抽出領域から得られる情報に対して、前記付加物の画像に関連付けられた前記処理を実行する読取画像処理部と、
を備え、
１枚の前記設定シートは、前記付加物指定領域を含む複数の付加物指定領域と、前記複数の付加物指定領域にそれぞれ対応する、前記処理指定領域を含む複数の処理指定領域を有し、
前記付加物登録部は、１枚の前記設定シートの読取画像における、前記複数の付加物指定領域に提示された複数の付加物の画像および前記複数の処理指定領域において指定された複数の処理を特定し、前記複数の付加物の画像および前記複数の処理を関連付けて登録し、
前記読取画像処理部は、書類の読取画像内で前記複数の付加物の画像を検索し、検出した付加物の画像で指定された前記抽出領域から得られる情報に対して、前記付加物の画像に関連付けられた前記処理を実行し、
前記複数の付加物は、色の異なる複数の透過性付箋であり、
前記読取画像処理部は、前記複数の透過性付箋の色の混合を考慮して、前記複数の付加物の画像を検索すること、
を特徴とする画像処理装置。
【請求項１０】
（ａ）書類の読取画像から抽出すべき抽出領域を指定するために前記書類に付加される付加物をユーザーが提示する付加物指定領域と（ｂ）前記抽出領域から得られる情報に対する処理を前記ユーザーが指定するための処理指定領域とを有する設定シートの読取画像における、前記付加物指定領域に提示された前記付加物の画像および前記処理指定領域において指定された前記処理を特定し、前記付加物の画像および前記処理を関連付けて登録する付加物登録部と、
書類の読取画像内で前記付加物の画像を検索し、前記付加物の画像で指定された前記抽出領域から得られる情報に対して、前記付加物の画像に関連付けられた前記処理を実行する読取画像処理部と、
を備え、
前記設定シートは、前記抽出領域に対して複数の類似文字列を１つの文字列に変換する変換規則を使用するか否かをユーザーが指定するための変換指定領域を有し、
前記付加物登録部は、前記変換指定領域において前記変換規則の使用が指定されていることを検出すると、前記変換規則を取得して、前記抽出領域に対応する前記付加物の画像に関連付けて前記変換規則を登録し、
前記読取画像処理部は、前記抽出領域から得られる文字列に対して、前記抽出領域に対応する前記変換規則を適用すること、
を特徴とする画像処理装置。
【請求項１１】
前記設定シートを印刷する印刷装置と、前記付加物を示された前記設定シートおよび前記付加物を付加された前記書類の読取画像を取得する画像読取装置とをさらに備えることを特徴とする請求項１から請求項１０のうちのいずれか１項の画像処理装置。
【発明の詳細な説明】
【技術分野】
【０００１】
本発明は、画像処理装置に関するものである。
【背景技術】
【０００２】
あるシステムの業務管理サーバーは、帳票種別に対応する切り出し領域パターンを使用して、依頼書の画像から特定の情報を抽出している（例えば特許文献１参照）。
【先行技術文献】
【特許文献】
【０００３】
【特許文献１】特開２０１０−８６２９５号公報
【発明の概要】
【発明が解決しようとする課題】
【０００４】
しかしながら、上述の業務管理サーバーでは、特定の書類書式に合わせて切り出し領域パターンが予め用意されているため、任意の書類書式に合わせてユーザーが特定の情報を抽出することが困難である。
【０００５】
本発明は、上記の問題に鑑みてなされたものであり、ユーザーが、種々の書類書式に合わせて、書類から特定の情報を抽出する際の抽出位置を設定できる画像処理装置を得ることを目的とする。
【課題を解決するための手段】
【０００６】
本発明に係る画像処理装置は、（ａ）書類の読取画像から抽出すべき抽出領域を指定するために前記書類に付加される付加物をユーザーが提示する付加物指定領域と（ｂ）前記抽出領域から得られる情報に対する処理を前記ユーザーが指定するための処理指定領域とを有する設定シートの読取画像における、前記付加物指定領域に提示された前記付加物の画像および前記処理指定領域において指定された前記処理を特定し、前記付加物の画像および前記処理を関連付けて登録する付加物登録部と、書類の読取画像内で前記付加物の画像を検索し、前記付加物の画像で指定された前記抽出領域から得られる情報に対して、前記付加物の画像に関連付けられた前記処理を実行する読取画像処理部とを備える。また、当該画像処理装置では、（Ａ）前記付加物登録部により前記付加物の画像および前記処理が関連付けて登録された後に、前記付加物の画像および前記抽出領域の位置情報を含む登録情報シートが出力されるか、（Ｂ）１枚の前記設定シートは、前記付加物指定領域を含む複数の付加物指定領域と、前記複数の付加物指定領域にそれぞれ対応する、前記処理指定領域を含む複数の処理指定領域を有し、前記付加物登録部は、１枚の前記設定シートの読取画像における、前記複数の付加物指定領域に提示された複数の付加物の画像および前記複数の処理指定領域において指定された複数の処理を特定し、前記複数の付加物の画像および前記複数の処理を関連付けて登録し、前記読取画像処理部は、書類の読取画像内で前記複数の付加物の画像を検索し、検出した付加物の画像で指定された前記抽出領域から得られる情報に対して、前記付加物の画像に関連付けられた前記処理を実行し、前記複数の付加物は、色の異なる複数の透過性付箋であり、前記読取画像処理部は、前記複数の透過性付箋の色の混合を考慮して、前記複数の付加物の画像を検索するか、（Ｃ）前記設定シートは、前記抽出領域に対して複数の類似文字列を１つの文字列に変換する変換規則を使用するか否かをユーザーが指定するための変換指定領域を有し、前記付加物登録部は、前記変換指定領域において前記変換規則の使用が指定されていることを検出すると、前記変換規則を取得して、前記抽出領域に対応する前記付加物の画像に関連付けて前記変換規則を登録し、前記読取画像処理部は、前記抽出領域から得られる文字列に対して、前記抽出領域に対応する前記変換規則を適用する。
【発明の効果】
【０００７】
本発明によれば、ユーザーが、種々の書類書式に合わせて、書類から特定の情報を抽出する際の抽出位置を設定できる。
【図面の簡単な説明】
【０００８】
【図１】図１は、本発明の実施の形態に係る画像処理装置の構成を示すブロック図である。
【図２】図２は、実施の形態１における設定シートの一例を示す図である。
【図３】図３は、ユーザーによって付加物が付加されチェックボックスで処理が指定された状態の設定シートの一例を示す図である。
【図４】図４は、書類の一例を示す図である。
【図５】図５は、登録済みの付加物が付加された書類の一例を示す図である。
【図６】図６は、登録情報シートの一例を示す図である。
【図７】図７は、透過性付箋による抽出領域の指定の一例を示す図である。
【図８】図８は、実施の形態４における設定シートの一例を示す図である。
【図９】図９は、条件シートの一例を示す図である。
【発明を実施するための形態】
【０００９】
以下、図に基づいて本発明の実施の形態を説明する。
【００１０】
実施の形態１．
【００１１】
図１は、本発明の実施の形態に係る画像処理装置の構成を示すブロック図である。図１に示す画像処理装置１は、複合機であり、通信装置１１、印刷装置１２、画像読取装置１３、演算処理装置１４、および記憶装置１５を備える。
【００１２】
通信装置１１は、ネットワークを介して、サーバー２に接続可能であって、所定の通信プロトコルでデータ通信を行う装置である。なお、サーバー２は、手書き文字の文字認識処理を実行するサーバーである。
【００１３】
また、印刷装置１２は、例えば電子写真方式で原稿画像を印刷用紙に印刷する内部デバイスである。印刷装置１２は、元の画像データに対して、ラスタライズ、色変換、スクリーン処理などの所定の画像処理を施して生成された出力画像データに基づき印刷を行う。印刷装置１２は、後述の各種シートを印刷する。
【００１４】
また、画像読取装置１３は、原稿（後述の各種シート）から原稿画像を光学的に読み取り、原稿画像の画像データを生成する内部デバイスである。
【００１５】
また、演算処理装置１４は、ＣＰＵ（Central Processing Unit）、ＲＯＭ（Read Only Memory）、ＲＡＭ（Random Access Memory）などを有するコンピューターであり、記憶装置１５、ＲＯＭなどに記憶されているプログラムをＲＡＭへロードし、そのプログラムをＣＰＵで実行することにより、各種処理部として機能する。記憶装置１５は、不揮発性の記憶装置であって、データ、プログラムなどを記憶する。
【００１６】
演算処理装置１４は、付加物登録部２１および読取画像処理部２２として機能する。
【００１７】
付加物登録部２１は、（ａ）書類の読取画像から抽出すべき抽出領域を指定するために前記書類に付加される付加物をユーザーが提示する付加物指定領域と（ｂ）前記抽出領域から得られる情報に対する処理を前記ユーザーが指定するための処理指定領域とを有する設定シートの読取画像における、付加物指定領域に提示された付加物の画像および処理指定領域において指定された処理を特定し、特定した付加物の画像および処理を関連付けて登録する。
【００１８】
読取画像処理部２２は、書類の読取画像内で上述の付加物の画像を検索し、付加物の画像で指定された抽出領域から得られる情報に対して、付加物の画像に関連付けられた処理を実行する。
【００１９】
実施の形態１では、１枚の設定シートは、複数の付加物指定領域と、複数の付加物指定領域にそれぞれ対応する複数の処理指定領域を有する。そして、付加物登録部２１は、１枚の設定シートの読取画像における、複数の付加物指定領域に提示された複数の付加物の画像および複数の処理指定領域において指定された複数の処理を特定し、複数の付加物の画像および複数の処理を関連付けて登録する。そして、読取画像処理部２２は、登録されている複数の付加物の画像を書類の読取画像内で検索し、検出した付加物の画像で指定された抽出領域から得られる情報に対して、検出した付加物の画像に関連付けられた処理を実行する。
【００２０】
実施の形態１では、付加物は、所定の形状、色、および模様を有する付箋であり、読取画像処理部２２は、書類の読取画像内で付加物の画像をパターンマッチングで検索する。
【００２１】
また、実施の形態１では、付加物として、同一形状で、異なる模様（例えば、１，２，３，・・・やａ，ｂ，ｃ，・・・などの連続する数字やアルファベット）を有する複数の付箋を使用することができる。
【００２２】
さらに、実施の形態１では、上述の「処理」は、（ａ）抽出領域から抽出された情報に基づく、書類の読取画像のファイルのファイル名作成、（ｂ）抽出領域から抽出された情報に対する文字認識処理、（ｃ）抽出領域から抽出された情報に基づく、ファイルのメタ情報作成などである。なお、メタ情報は、ファイルに内包される各種属性データである。
【００２３】
図２は、実施の形態１における設定シートの一例を示す図である。
【００２４】
図２に示す設定シートは、複数の付加物指定領域４１と、対応する複数の処理指定領域である複数のチェックボックス列４２とを含んでいる。
【００２５】
チェックボックス列４２は、ファイル名作成のための３つのチェックボックス（ファイル名の（１），（２），（３））、フォルダー名作成のための２つのチェックボックス（フォルダー名の（１），（２））、活字用文字認識処理を指定するためのチェックボックス（ＯＣＲ活字）、手書き文字用文字認識処理を指定するためのチェックボックス（ＯＣＲ手書）、抽出領域の画像切り出しのためのチェックボックス（画像切出）、およびメタ情報（見出し、数字、日付、住所、氏名）作成のための５つのチェックボックス（メタ情報の見出、数字、日付、住所、氏名）を含む。なお、「ＯＣＲ手書」のチェックボックスがチェックされている場合には、読取画像処理部２２は、通信装置１１でサーバー２に抽出領域の画像を送信し、抽出領域の画像に対する手書き文字用の文字認識処理を、サーバー２に実行させ、その処理結果をサーバー２から受信する。
【００２６】
なお、ファイル名の（ｉ）のチェックボックス（ｉ＝１，２，３）は、対応する抽出領域から得られたテキストをファイル名の第ｉワードに指定するためのものであり、フォルダー名の（ｉ）のチェックボックス（ｉ＝１，２）は、対応する抽出領域から得られたテキストをフォルダー名の第ｉワードに指定するためのものである。なお、第ｉワードと第（ｉ＋１）ワードとは区切り文字で連結され、その区切り文字は、設定シート内の区切り文字指定用のチェックボックスがチェックされることでユーザーによって指定される。
【００２７】
図３は、ユーザーによって付加物が付加されチェックボックスで処理が指定された状態の設定シートの一例を示す図である。つまり、ユーザーは、所望の付加物（ここでは付箋）を登録させるために、その付加物を付加物指定領域に配置し、その付加物で抽出される抽出領域から得られる情報（テキスト、画像など）に対して所望の処理を実行させるためにチェックボックスをチェックする。
【００２８】
例えば図３に示す状態では、付加物指定領域４１に付加物５１が付加されており、ファイル名（１）のチェックボックス、フォルダー名（１）のチェックボックス、およびＯＣＲ活字のチェックボックスがチェックされている。これにより、この付加物５１によって指定された抽出領域から得られた画像に対して活字用文字認識処理が実行され、その処理で得られたテキストが、書類画像のファイル名の第１ワードおよびフォルダー名の第１ワードに使用される。
【００２９】
さらに、図３に示す状態では、付加物指定領域４１に付加物５２〜５５が付加されており、対応するチェックボックス列４２内の複数のチェックボックスがチェックされている。
【００３０】
図４は、書類の一例を示す図である。図５は、登録済みの付加物が付加された書類の一例を示す図である。
【００３１】
図４および図５に示すように、付加物５１で、書類のタイトルである「請求書」という文字列を含むように抽出領域が指定され、付加物５２で、書類の発行元の名称の文字列を含むように抽出領域が指定され、付加物５３で、日付の文字列を含むように抽出領域が指定され、付加物５４で、担当者の手書き署名を含むように抽出領域が指定され、付加物５５で、担当者の活字による氏名の文字列を含むように抽出領域が指定されている。
【００３２】
次に、上記画像処理装置の動作について説明する。
【００３３】
（１）書類において抽出領域の指定に使用する付加物の登録
【００３４】
所定のユーザー操作に基づき、付加物登録部２１は、設定シートを印刷装置１２に印刷させる。なお、設定シートの画像データは記憶装置１５に予め記憶されており、その画像データに基づいて設定シートが印刷される。そして、ユーザーは、例えば図２に示すように印刷された設定シートに対して、例えば図３に示すように、所望の付加物を付加物指定領域４１に配置し、チェックボックス列４２内のチェックボックスをチェックする。そして、ユーザーは、画像処理装置１を操作し、付加物を付加物指定領域４１に配置しチェックボックス列４２内のチェックボックスをチェックした設定シートを画像読取装置１３で読み取らせる。
【００３５】
画像処理装置１では、画像読取装置１３は、付加物を付加物指定領域４１に配置しチェックボックス列４２内のチェックボックスをチェックした設定シートの読取画像の画像データを生成する。そして、付加物登録部２１は、その画像データを参照して、付加物指定領域４１内の付加物の画像を抽出するとともに、対応するチェックボックス列４２においてチェックされているチェックボックスを特定し、特定したチェックボックスから、ユーザーにより指定された処理を特定する。そして、付加物登録部２１は、付加物の画像およびその処理を示す情報を関連付けて記憶装置１５に記憶する。
【００３６】
これにより、ユーザー所望の付加物および対応する処理が登録される。
【００３７】
（２）書類に対する処理
【００３８】
付加物および対応する処理を登録した後、ユーザーは、例えば図４に示す読み取り対象の書類に対して、例えば図５に示すように、付加物を付加して抽出領域を指定する。そして、ユーザーは、画像処理装置１を操作し、付加物が付加された書類を画像読取装置１３で読み取らせる。
【００３９】
画像処理装置１では、画像読取装置１３は、付加物が付加された書類の読取画像の画像データを生成する。そして、読取画像処理部２２は、その画像データを参照し、書類の読取画像内で、登録されている付加物の画像をパターンマッチングで検索する。
【００４０】
読取画像処理部２２は、１つの付加物の画像を２つ検出すると、その２つの付加物の画像で指定される抽出領域を特定する。例えば、２つの付加物の画像を最短距離で結ぶ線を対角線とする長方形が抽出領域として特定される。あるいは、付加物の画像が長方形などの所定の形状を有している場合、２つの付加物の画像における所定の頂点を最短距離で結ぶ線を対角線とする長方形が抽出領域として特定されるようにしてもよい。
【００４１】
そして、読取画像処理部２２は、特定した抽出領域の画像を抽出し、その抽出領域の画像に対して、指定されている処理（例えば、文字認識、ファイル名作成、およびメタ情報作成）を行う。
【００４２】
例えば、図３に示す設定シートの状態で付加物および処理が登録され、図５に示すように付加物５１〜５５で抽出領域がそれぞれ指定された場合、書類の読取画像のファイル名が、「請求書＿株式会社ＡＢＣ＿２０１３１０１０．ｐｄｆ」とされ、フォルダー名が、「請求書／株式会社ＡＢＣ／」とされる。なお、ここでは、文字認識で、日付「２０１３年１０月１０日」が抽出されると、数字のみでの表記に自動的に変換される。そして、記憶装置１５において、「請求書＿株式会社ＡＢＣ＿２０１３１０１０．ｐｄｆ」というファイル名で書類の読取画像がフォルダー「請求書／株式会社ＡＢＣ／」に記憶される。
【００４３】
以上のように、上記実施の形態１によれば、付加物登録部２１は、（ａ）書類の読取画像から抽出すべき抽出領域を指定するために前記書類に付加される付加物をユーザーが提示する付加物指定領域と（ｂ）前記抽出領域から得られる情報に対する処理を前記ユーザーが指定するための処理指定領域とを有する設定シートの読取画像における、付加物指定領域に提示された付加物の画像および処理指定領域において指定された処理を特定し、特定した付加物の画像および処理を関連付けて登録する。そして、読取画像処理部２２は、書類の読取画像内で上述の付加物の画像を検索し、付加物の画像で指定された抽出領域から得られる情報に対して、付加物の画像に関連付けられた処理を実行する。
【００４４】
これにより、ユーザーが、種々の書類書式に合わせて、書類から特定の情報を抽出する際の抽出位置を設定できる。
【００４５】
実施の形態２．
【００４６】
実施の形態２に係る画像処理装置１は、実施の形態１に係る画像処理装置１と同様の機能を有するとともに、付加物登録部２１により付加物の画像および処理が関連付けて登録された後に、所定のユーザー操作に応じて登録情報シートを印刷装置１２などで出力する機能を有する。
【００４７】
図６は、登録情報シートの一例を示す図である。登録情報シートは、付加物の画像、および対応する上述の抽出領域の位置情報を含む。また、実施の形態２では、登録情報シートは、抽出領域の位置情報、および抽出領域に対応する処理を示す情報を含む２次元コード６１（ここでは、ＱＲコード（登録商標））を含む。さらに、登録情報シートは、書類の読取画像から得られる抽出領域の画像（抽出画像）を含む。
【００４８】
また、実施の形態２では、画像処理装置１が、１回のユーザー操作に対応して所定の機能を実行するキー（ショートカットキーなど）を有する場合、そのキーに関連付けて、１つの機能として登録情報シートの出力が登録されるようにしてもよい。そのようにすることで、ユーザーは、簡単な装置で、登録情報シートを印刷させ、書類の読取画像から得られる抽出領域の画像（抽出画像）を確認することができる。
【００４９】
なお、実施の形態２に係る画像処理装置１のその他の構成および動作については、実施の形態１のものと同様であるので、その説明を省略する。
【００５０】
実施の形態３．
【００５１】
実施の形態３に係る画像処理装置１は、付加物として、色の異なる複数の透過性付箋を使用可能としたものである。実施の形態３では、読取画像処理部２２は、複数の透過性付箋の色の混合を考慮して、複数の付加物の画像をパターンマッチングで検索する。
【００５２】
図７は、透過性付箋による抽出領域の指定の一例を示す図である。図７において、透過性付箋７１，７２は、互いに異なる色を有する。例えば図７に示すように、透過性付箋７１，７２の一部が重なった場合、重なった部分の色は、透過性付箋７１の色と透過性付箋７２の色とを混合した色となる。そのため、読取画像処理部２２は、読取画像内において、混合した色の部分も含めてパターンマッチングを行い、付加物（透過性付箋７１，７２）を検出する。
【００５３】
なお、実施の形態３に係る画像処理装置１のその他の構成および動作については、実施の形態１，２のものと同様であるので、その説明を省略する。
【００５４】
実施の形態４．
【００５５】
図８は、実施の形態４における設定シートの一例を示す図である。
【００５６】
実施の形態４では、設定シートは、抽出領域に対して複数の類似文字列を１つの文字列に変換する変換規則を使用するか否かをユーザーが指定するための変換指定領域を有する。ここでは、変換指定領域は、図８に示すチェックボックス８１である。
【００５７】
実施の形態４に係る画像処理装置１では、付加物登録部２１は、変換指定領域において変換規則の使用が指定されていることを検出すると、変換規則を取得して、抽出領域に対応する付加物の画像に関連付けて変換規則を登録する。
【００５８】
実施の形態４では、少なくとも１つのチェックボックス８１がチェックされている場合、ユーザーが、画像処理装置１を操作して、上述の変換規則が記述された条件シートを画像読取装置１３で読み取らせ、付加物登録部２１は、その読み取られた画像またはその画像から文字認識で得られるテキスト情報から、変換規則を特定する。
【００５９】
図９は、条件シートの一例を示す図である。図９に示す条件シートには、ファイル名の第１ワード、およびファイル名の第２ワードにそれぞれ対応する条件（変換規則）が記述されている。例えば、「条件｛株式会社ＡＢＣ，ＡＢＣ｝ＡＢＣ」は、抽出領域の画像から文字認識処理で得られた文字列が「株式会社ＡＢＣ」または「ＡＢＣ」である場合、ファイル名の第２ワードとして「ＡＢＣ」を使用することを示している。
【００６０】
そして、読取画像処理部２２は、抽出領域から得られる文字列に対して、抽出領域に対応する変換規則を適用し、適用後の文字列を使用して、上述の処理（ファイル名作成など）を実行する。
【００６１】
これにより、同一の意味であっても異なる表記が有り得る場合に、それらの表記が単一の文字列に置き換えた後で処理が実行される。
【００６２】
なお、実施の形態４に係る画像処理装置１のその他の構成および動作については、実施の形態１〜３のものと同様であるので、その説明を省略する。
【００６３】
なお、上述の各実施の形態は、本発明の好適な例であるが、本発明は、これらに限定されるものではなく、本発明の要旨を逸脱しない範囲において、種々の変形、変更が可能である。
【００６４】
例えば、上記実施の形態１〜４では、付加物は、付箋であるが、付加物は、ペン、鉛筆などの筆記器具によるインク、炭などで形成される手書きの文字や記号でもよい。
【００６５】
また、上記実施の形態１〜４において、付加物が傾いていても検出可能なようにパターンマッチングが実行されるため、付加物は付加される際に傾いていてもよい。
【産業上の利用可能性】
【００６６】
本発明は、例えば、複合機に適用可能である。
【符号の説明】
【００６７】
１  画像処理装置
１２  印刷装置
１３  画像読取装置
２１  付加物登録部
２２  読取画像処理部
４１  付加物指定領域
４２  チェックボックス列（処理指定領域の一例）
５１〜５５  付加物
８１  チェックボックス（変換指定領域の一例）
【図１】
0005938393.tif 000002
【図２】
0005938393.tif 000003
【図３】
0005938393.tif 000004
【図４】
0005938393.tif 000005
【図５】
0005938393.tif 000006
【図６】
0005938393.tif 000007
【図７】
0005938393.tif 000008
【図８】
0005938393.tif 000009
【図９】
0005938393.tif 000010